【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
第１移送速度で移送する第１移送域及び移送速度を漸減しながら移送する減速移送域が移送方向に配設された移送経路を通してシート状物を移送させるための第１移送チェーン機構と、前記第１移送域を通して前記シート状物を移送させるための第２移送チェーン機構と、前記第１移送域に対応して前記第１及び第２移送チェーン機構を前記第１移送速度で移動させるための第１駆動手段と、前記減速移送域に対応して前記第１移送チェーン機構を前記第１移送速度から減速しながら移動させるための減速駆動手段と、を具備しており、
前記第１移送チェーン機構は、前記シート状物をクリップするための第１クリップ連結部と、隣接する前記第１クリップ連結部を連結するための第１接続連結部とを有し、前記第１接続連結部は、前記移送方向の長さが縮小可能となるように構成されており、
前記第２移送チェーン機構は、前記シート状物をクリップするための第２クリップ連結部と、隣接する前記第２クリップ連結部を連結するための第２接続連結部とを有し、前記第１移送域に対応して前記第１移送チェーン機構の上方又は下方に配設されており、
前記第１移送域においては、前記第１移送チェーン機構の前記第１クリップ連結部間に前記第２移送チェーン機構の前記第２クリップ連結部が位置し、前記シート状物は、前記第１及び第２クリップ連結部にクリップされて移送され、
前記減速移送域においては、前記第２クリップ連結部による前記シート状物のクリップが解除された状態にて前記第１移送チェーン機構の前記第１接続連結部の長さが少しずつ縮小され、前記シート状物は、前記第１クリップ連結部にクリップされて移送されることを特徴とするシート状物移送装置。
【請求項２】
前記第１クリップ連結部は、前記第１接続連結部に連結された第１連結部と、前記シート状物をクリップするための第１クリップ部と、を有し、
前記第２クリップ連結部は、前記第２接続連結部に連結された第２連結部と、前記シート状物をクリップするための第２クリップ部と、を有し、
前記シート状物は、前記第１及び第２クリップ部にクリップされて水平状態に保持されて移送されることを特徴とする請求項１に記載のシート状物移送装置。
【請求項３】
前記第１クリップ連結部の前記第１クリップ部は、前記第１連結部に取り付けられた第１クリップ本体部と、前記第１クリップ本体部に取り付けられた第１クリップ手段とを有し、前記第１クリップ本体部には第１被駆動部が設けられており、前記減速移送域においては、前記減速駆動手段が前記第１被駆動部に作用して前記第１クリップ連結部が減速移動されることを特徴とする請求項２に記載のシート状物移送装置。
【請求項４】
移送位置保持手段と、後退位置保持手段と、を更に備え、
前記第２クリップ連結部の前記第２クリップ部は、移送位置と後退位置との間を進退自在であって、
前記第１移送域においては、前記移送位置保持部材により前記第２クリップ部が前記移送位置に保持され、
前記第１移送域と前記減速移送域との境界領域において、前記後退位置保持手段により前記第２クリップ部が前記後退位置に移動されることを特徴とする請求項２に記載のシート状物移送装置。
【請求項５】
前記第１移送チェーン機構が移動する第１移動経路に沿って第１支持案内レールが設けられ、
前記第１クリップ連結部には、第１支持ローラ、一対の第１内案内ローラ及び第１外案内ローラが設けられ、前記第１支持ローラは前記第１支持案内レールの上面に載置支持され、前記一対の第１内案内ローラは、前記第１支持案内レールの内面上部に作用し、前記第１外案内ローラは前記支持案内レールの外面下部に作用することを特徴とする請求項３に記載のシート状物移送装置。
【請求項６】
前記第２移送チェーン機構が移動する第２移動経路に沿って第２支持案内レールが設けられ、
前記第２クリップ連結部には、第２支持ローラ、一対の第２内上案内ローラ、一対の第２内下案内ローラ、第２外上案内ローラ及び第２外下案内ローラが設けられ、
前記第２支持ローラは前記第２支持案内レールの上面に載置支持され、前記一対の第２内上案内ローラは、前記第２支持案内レールの内面上部に作用し、前記一対の第２内下案内ローラは、前記第２支持案内レール内面下部に作用し、前記第２外上案内ローラは、前記第２支持案内レールの外面上部に作用し、前記第２外下案内ローラは、前記第２支持案内レールの外面下部に作用することを特徴とする請求項４に記載のシート状物移送装置。
【請求項７】
前記第１移送域は、前記第１及び第２移送チェーン機構が移送方向下流側に向けて外側に傾斜して移動する幅拡大移送域部を含み、前記幅拡大移送域部においては、前記第１及び第２移送チェーン機構の前記第１及び第２クリップ連結部が移送方向下流側に向けて外側に傾斜して移動され、これによって、前記第１及び第２クリップ連結部にクリップされたシート状物は幅方向に伸張されながら移送されることを特徴とする請求項１に記載のシート状物移送装置。
【請求項８】
前記減速移送域においては、前記第１移送チェーン機構が移送方向下流側に向けて外側に傾斜して延びており、前記第１移送チェーン機構の前記第１クリップ連結部は、移送方向下流側に向けて外側に傾斜して移動され、これによって、前記第１クリップ連結部にクリップされたシート状物は幅方向に伸張され且つ前記移送方向に縮小されながら移送されることを特徴とする請求項１又は７に記載のシート状物移送装置。
【請求項９】
前記減速移送域においては、前記第１移送チェーン機構が移送方向下流側に向けて内側に傾斜して延びており、前記第１移送チェーン機構の前記第１クリップ連結部は、移送方向下流側に向けて内側に傾斜して移動され、これによって、前記第１クリップ連結部にクリップされたシート状物は幅方向に縮小され且つ前記移送方向に縮小されながら移送されることを特徴とする請求項１又は７に記載のシート状物移送装置。
【請求項１０】
シート状物をクリップして移送するためのクリップ連結部及び隣接する前記クリップ連結部を連結するための接続連結部から構成された移送チェーン機構と、前記移送チェーン機構を減速しながら移動させるための減速移動手段とを備えており、
前記減速移動手段は、回転自在に支持された駆動回転軸と、前記駆動回転軸の外周面に設けられた螺旋状突条と、前記駆動回転軸を所定方向に回転駆動するための駆動源とを有し、前記螺旋状突条の移送ピッチは移送方向下流側に向けて漸減するように構成され、また前記移送チェーン機構の前記クリップ連結部には、前記駆動回転軸に向けて延びる被駆動部が設けられており、
前記減速移動手段により移動させるときには、前記駆動回転軸の前記螺旋状突条が前記クリップ連結部の前記被駆動部に作用して前記クリップ連結部を減速移動させることを特徴とする移送チェーン機構の減速移動機構。
【請求項１１】
シート状物をクリップして移送するためのクリップ連結部及び隣接する前記クリップ連結部を連結するための接続連結部から構成された移送チェーン機構と、前記移送チェーン機構を移動するための駆動手段とを備えており、
前記クリップ連結部は、前記接続連結部に連結された連結部と、前記連結部に装着されたクリップ手段とを有し、
前記クリップ手段は、クリップ本体部と、前記クリップ本体部に装着されたクリップ部材とを有し、前記クリップ部材は、シート状物をクリップするクリップ角度位置とシート状物のクリップを解除する解除角度位置との間を旋回自在であり、
前記連結部には、前記クリップ部材に向けて延びる押圧部材が移動自在に設けられており、
前記押圧部材が前記クリップ部材に向けて移動すると、前記押圧部材は前記クリップ部材を前記クリップ角度位置から前記解除角度位置に旋回させることを特徴とする移送チェーン機構のクリップ解除機構。
【請求項１２】
前記クリップ手段は、前記連結部に支持されたクリップ支持部を更に備え、前記クリップ支持部はシート状物をクリップする移送位置と前記移送位置から後退する後退位置との間を移動自在であり、
前記クリップ本体部は前記クリップ支持部に取り付けられているとともに、前記押圧部材は前記クリップ支持部に移動自在に支持されていることを特徴とする請求項１１に記載の移送チェーン機構のクリップ解除機構。
【手続補正２】
【補正対象書類名】明細書
【補正対象項目名】０００４
【補正方法】変更
【補正の内容】
【０００４】
このシート状物移送装置では、第１移送域では、移送チェーン機構の接続連結部が通常状態（屈曲していない状態）に保持され、第２移送域では、この接続連結部が所定の屈曲状態に保持されて縮小状態に保持され、また減速移送域では、この接続連結部が通常状態から縮小状態に向けて少しずつ内側に屈曲される。従って、移送チェーン機構のクリップ連結部にクリップ（所謂、チャッキング）されたシート状物は、第１移送域では所定の移送速度で移送され、減速移送域では所定移送速度から少しずつ減速しながら移送され、第２移送域では、減速した低い移送速度で移送され、この減速移送域を通して移送される間に、シート状物が長手方向（移送方向）に縮小され、このように縮小されることにより、シート状物に対して長手方向のリラックス処理を施すことができる。
【手続補正３】
【補正対象書類名】明細書
【補正対象項目名】００１１
【補正方法】変更
【補正の内容】
【００１１】
本発明のシート状物移送装置は、第１移送速度で移送する第１移送域及び移送速度を漸減しながら移送する減速移送域が移送方向に配設された移送経路を通してシート状物を移送させるための第１移送チェーン機構と、前記第１移送域を通して前記シート状物を移送させるための第２移送チェーン機構と、前記第１移送域に対応して前記第１及び第２移送チェーン機構を前記第１移送速度で移動させるための第１駆動手段と、前記減速移送域に対応して前記第１移送チェーン機構を前記第１移送速度から減速しながら移動させるための減速駆動手段と、を具備しており、
前記第１移送チェーン機構は、前記シート状物をクリップするための第１クリップ連結部と、隣接する前記第１クリップ連結部を連結するための第１接続連結部とを有し、前記第１接続連結部は、前記移送方向の長さが縮小可能となるように構成されており、
前記第２移送チェーン機構は、前記シート状物をクリップするための第２クリップ連結部と、隣接する前記第２クリップ連結部を連結するための第２接続連結部とを有し、前記第１移送域に対応して前記第１移送チェーン機構の上方又は下方に配設されており、
前記第１移送域においては、前記第１移送チェーン機構の前記第１クリップ連結部間に前記第２移送チェーン機構の前記第２クリップ連結部が位置し、前記シート状物は、前記第１及び第２クリップ連結部にクリップされて移送され、
前記減速移送域においては、前記第２クリップ連結部による前記シート状物のクリップが解除された状態にて前記第１移送チェーン機構の前記第１接続連結部の長さが少しずつ縮小され、前記シート状物は、前記第１クリップ連結部にクリップされて移送されることを特徴とする。
【手続補正４】
【補正対象書類名】明細書
【補正対象項目名】００１３
【補正方法】変更
【補正の内容】
【００１３】
更に、本発明の移送チェーン機構のクリップ解除機構は、シート状物をクリップして移送するためのクリップ連結部及び隣接する前記クリップ連結部を連結するための接続連結部から構成された移送チェーン機構と、前記移送チェーン機構を移動するための駆動手段とを備えており、
前記クリップ連結部は、前記接続連結部に連結された連結部と、前記連結部に装着されたクリップ手段とを有し、
前記クリップ手段は、クリップ本体部と、前記クリップ本体部に装着されたクリップ部材とを有し、前記クリップ部材は、シート状物をクリップするクリップ角度位置とシート状物のクリップを解除する解除角度位置との間を旋回自在であり、
前記連結部には、前記クリップ部材に向けて延びる押圧部材が移動自在に設けられており、
前記押圧部材が前記クリップ部材に向けて移動すると、前記押圧部材は前記クリップ部材を前記クリップ角度位置から前記解除角度位置に旋回させることを特徴とする。
【手続補正５】
【補正対象書類名】明細書
【補正対象項目名】００１４
【補正方法】変更
【補正の内容】
【００１４】
本発明の請求項１に記載のシート状物移送装置によれば、第１移送域及び減速移送域を通してシート状物を移送させるための第１移送チェーン機構と、第１移送域を通してシート状物を移送させるための第２移送チェーン機構とを備えている。そして、第１移送チェーン機構は、シート状物をクリップするための第１クリップ連結部と、第１クリップ連結部を連結するための第１接続連結部とを有し、この第１接続連結部が移送方向の長さが縮小可能となるように構成され、また第２移送チェーン機構は、シート状物をクリップするための第２クリップ連結部と、第２クリップ連結部を連結するための第２接続連結部とを有し、第１移送域に対応して第１移送チェーン機構の上方（又は下方）に配設されている。
【手続補正６】
【補正対象書類名】明細書
【補正対象項目名】００６７
【補正方法】変更
【補正の内容】
【００６７】
また、後退位置保持手段２５４は、第３スプロケット２８に対応する所定角度範囲にわたって設けられ、移送位置保持部材２５６における内傾斜部２６２、縮径部２６０及び外傾斜部２６４にそれぞれ対応して設けられる内傾斜部２６６、縮径部２６８及び外傾斜部２７０を備えており、この後退位置保持手段２５４が第２クリップ部１９０の被作用コロ２４２に作用するときには、この被作用コロ２４２は第２被作用部として機能する。
【手続補正７】
【補正対象書類名】明細書
【補正対象項目名】００７０
【補正方法】変更
【補正の内容】
【００７０】
この第２チェーンユニット８２における第２クリップ連結部８４の第２クリップ手段１９３は、第１チェーンユニット７２における第１クリップ連結部７２の第１クリップ手段１２８と実質上同一の構成である。この第２クリップ手段１９３及びそれに関連する構成について概説すると、第２クリップ連結部８４の第２クリップ部１９０は、第２連結部１８８の上下方向下方に配設され、第２クリップ本体部１９１は、支持台２３８の上面に取り付けられている。この第２クリップ部１９０の第２クリップ本体部１９１には、凹部２７２が設けられ、この凹部２７２の下内面がシート状物Ｓをクリップするための片面として機能する。第２クリップ本体部１９１の上部には切欠き２７４が設けられ、この切欠き２７４の先端部に第２クリップ手段１９３が装着されている。